(57)【要約】【課題】検索対象の情報が現在ない場合にも将来に向けて見つかり易くする。【解決手段】情報検索装置２０は、情報提供ユーザ２−１〜１２−ｎが提供した情報の分野とタイトルを含む提供情報キーワードおよび情報提供ユーザに関する得意分野を含む個人情報を情報提供ユーザに対応させて記憶した提供ユーザデータベース２２と、検索要求ユーザ１１から検索対象情報を受け取り、この情報に関連するキーワードまたは得意分野を含む個人情報を作成する作成手段２３と、前記作成手段２３により作成された情報に基づき前記提供ユーザデータベース２２を検索して、対象とする情報提供ユーザを選択する選択手段２４と、前記選択手段２４により選択された情報提供ユーザを検索要求ユーザ１１へ紹介する処理か、選択された情報提供ユーザへ情報提供を求める処理の少なくとも一方を行う処理手段２５とを具備する。【選択図】図１
2008234062.tif 000002
【特許請求の範囲】
【請求項１】
ネットワークを介して情報提供ユーザと検索要求ユーザと情報検索装置とが接続されたシステムにおける情報検索装置であって、
情報提供ユーザが提供した情報の分野とタイトルを含む提供情報キーワードおよび情報提供ユーザに関する得意分野を含む個人情報を情報提供ユーザに対応させて記憶した提供ユーザデータベースと、
検索要求ユーザから検索対象情報を受け取り、この情報に関連するキーワードまたは得意分野を含む個人情報を作成する作成手段と、
前記作成手段により作成された情報に基づき前記提供ユーザデータベースを検索して、対象とする情報提供ユーザを選択する選択手段と、
前記選択手段により選択された情報提供ユーザを検索要求ユーザへ紹介する処理か、選択された情報提供ユーザへ情報提供を求める処理の少なくとも一方を行う処理手段と
を具備することを特徴とする情報検索装置。
【請求項２】
検索要求ユーザからの指示または提供情報の金額と情報内容とが対応付けられたランキング情報に応じて、情報提供ユーザへ情報提供の対価を提示する対価提示手段を備えることを特徴とする請求項１に記載の情報検索装置。
【請求項３】
情報提供ユーザによる情報提供を監視し、情報提供がなされた場合に、検索要求ユーザへ対価の支払いを求める支払要求手段を備えることを特徴とする請求項１または２に記載の情報検索装置。
【請求項４】
ネットワークを介して情報提供ユーザと検索要求ユーザと情報検索装置とが接続されたシステムにおける情報検索装置であって、
情報提供ユーザが提供した情報の分野とタイトルを含む提供情報キーワードと提供年月日とを含む提供情報履歴を情報提供ユーザに対応させて記憶した提供ユーザデータベースと、
検索要求ユーザから検索対象情報を受け取り、この情報に関連する情報を提供ユーザデータベースを検索して情報提供ユーザを含む情報として求める検索手段と、
前記検索手段により検索された情報を履歴情報に基づき分析し、関連情報の出現予測を行う予測手段と、
予測手段により予測された結果を検索要求ユーザへ提供する提供手段と
を具備することを特徴とする情報検索装置。
【請求項５】
予測手段は、情報提供ユーザと提供する情報を予測することを特徴とする請求項４に記載の情報検索装置。
【請求項６】
提供ユーザデータベースに記憶された情報を抽出した元の情報である原文情報が記憶された原文データベースを備え、
前記提供手段は、前記検索手段により検索された情報に基づき、前記原文データベースの対応する原文情報を取り出し、前記検索手段が関連するとした根拠情報と共に検索要求ユーザへ提供することを特徴とする請求項４または５に記載の情報検索装置。
【請求項７】
ネットワークと、
このネットワークに対して接続された請求項１乃至６のいずれか１項に記載の情報検索装置と、
前記ネットワークに対して接続された複数の情報提供ユーザおよび複数の検索要求ユーザと
を具備することを特徴とする情報検索システム。
【発明の詳細な説明】
【技術分野】
【０００１】
この発明は、ネットワークを介して情報提供ユーザと検索要求ユーザと情報検索装置とが接続されたシステムにおける情報検索装置と、この情報検索装置を用いて構成した情報検索システムに関するものである。
【背景技術】
【０００２】
従来の情報検索システムは、公開済の情報を検索対象とした検索サービスであり、下記の問題があった。まず、検索において、該当する情報が見つけられない場合、情報収集を断念するしかなかった。また、公開されている情報の中に検索条件に合致する情報がなくても、公開されている複数の情報を分析・マージすることで、検索条件に合致する情報を収集できる場合でも、分析後の情報を得られなかった。また、情報検索の対象は、現時点で公開されている情報だけであり、今後公開される可能性のある情報は対象外であった。更に、検索システムの仕組みとして、一般の人が積極的に情報をネットワーク上に公開することを促す仕組みが存在していなかった。情報公開に促進による、情報検索性能の向上が行われていなかった。
【０００３】
これに対し、キーワードを予約登録しておき、キーワード対応の情報がネットワーク上で公開されたときに予約登録を行ったユーザへメールで通知するシステムが特許文献１に記載されている。また、地域情報を当該地域に属する情報提供ユーザに送信するように促し、情報提供ユーザが送信してきた地域情報を検索要求ユーザへ転送する情報検索システムが特許文献２に開示されている。
【特許文献１】特開２００６−１８９９７８号公報
【特許文献２】特開２００４−３８３００号公報
【発明の開示】
【発明が解決しようとする課題】
【０００４】
本発明は、上記のような情報検索装置に関する現状に鑑みてなされたもので、その目的は、検索対象の情報が現在ない場合にも将来に向けて見つかり易く、また、公開された情報からアレンジした情報を提供可能な情報検索装置およびこの装置を用いた情報検索システムを提供することである。
【課題を解決するための手段】
【０００５】
本発明に係る情報検索装置は、ネットワークを介して情報提供ユーザと検索要求ユーザと情報検索装置とが接続されたシステムにおける情報検索装置であって、情報提供ユーザが提供した情報の分野とタイトルを含む提供情報キーワードおよび情報提供ユーザに関する得意分野を含む個人情報を情報提供ユーザに対応させて記憶した提供ユーザデータベースと、検索要求ユーザから検索対象情報を受け取り、この情報に関連するキーワードまたは得意分野を含む個人情報を作成する作成手段と、前記作成手段により作成された情報に基づき前記提供ユーザデータベースを検索して、対象とする情報提供ユーザを選択する選択手段と、前記選択手段により選択された情報提供ユーザを検索要求ユーザへ紹介する処理か、選択された情報提供ユーザへ情報提供を求める処理の少なくとも一方を行う処理手段とを具備することを特徴とする。
【０００６】
本発明に係る情報検索装置は、検索要求ユーザからの指示または提供情報の金額と情報内容とが対応付けられたランキング情報に応じて、情報提供ユーザへ情報提供の対価を提示する対価提示手段を備えることを特徴とする。
【０００７】
本発明に係る情報検索装置は、情報提供ユーザによる情報提供を監視し、情報提供がなされた場合に、検索要求ユーザへ対価の支払いを求める支払要求手段を備えることを特徴とする。
【０００８】
本発明に係る情報検索装置は、ネットワークを介して情報提供ユーザと検索要求ユーザと情報検索装置とが接続されたシステムにおける情報検索装置であって、情報提供ユーザが提供した情報の分野とタイトルを含む提供情報キーワードと提供年月日とを含む提供情報履歴を情報提供ユーザに対応させて記憶した提供ユーザデータベースと、検索要求ユーザから検索対象情報を受け取り、この情報に関連する情報を提供ユーザデータベースを検索して情報提供ユーザを含む情報として求める検索手段と、前記検索手段により検索された情報を履歴情報に基づき分析し、関連情報の出現予測を行う予測手段と、予測手段により予測された結果を検索要求ユーザへ提供する提供手段とを具備することを特徴とする。
【０００９】
本発明に係る情報検索装置では、予測手段は、情報提供ユーザと提供する情報を予測することを特徴とする。
【００１０】
本発明に係る情報検索装置は、提供ユーザデータベースに記憶された情報を抽出した元の情報である原文情報が記憶された原文データベースを備え、前記提供手段は、前記検索手段により検索された情報に基づき、前記原文データベースの対応する原文情報を取り出し、前記検索手段が関連するとした根拠情報と共に検索要求ユーザへ提供することを特徴とする。
【００１１】
本発明に係る情報検索システムは、ネットワークと、このネットワークに対して接続された請求項１乃至６のいずれか１項に記載の情報検索装置と、前記ネットワークに対して接続された複数の情報提供ユーザおよび複数の検索要求ユーザとを具備することを特徴とする。
【発明の効果】
【００１２】
本発明に係る情報検索装置は、検索要求ユーザから検索対象情報を受け取り、この情報に関連するキーワードまたは得意分野を含む個人情報を作成して、この情報に基づき提供ユーザデータベースを検索して、対象とする情報提供ユーザを選択し、選択された情報提供ユーザを検索要求ユーザへ紹介する処理か、選択された情報提供ユーザへ情報提供を求める処理の少なくとも一方を行うので、情報を保持している可能性が高い情報提供ユーザを特定して情報提供を求めることができ、隠れた或いは将来的に発生する情報検索が可能となる。
【００１３】
本発明に係る情報検索装置は、情報提供ユーザへ情報提供の対価を提示する構成を備えているので、より情報の収集の確度を上げることができる。
【００１４】
本発明に係る情報検索装置は、情報提供がなされた場合に、検索要求ユーザへ対価の支払いを求める構成を備えるので、対価が適切に支払われるようになり易く、情報検索が適切に運用される。
【００１５】
本発明に係る情報検索装置は、情報提供ユーザが提供した情報の分野とタイトルを含む提供情報キーワードと提供年月日とを含む提供情報履歴を情報提供ユーザに対応させて記憶した提供ユーザデータベースを有し、検索要求ユーザから検索対象情報を受け取り、この情報に関連する情報を提供ユーザデータベースを検索し、検索された情報提供ユーザを含む情報を履歴情報に基づき分析し、関連情報の出現予測を行って、予測された結果を検索要求ユーザへ提供するので、現在において存在する情報から予測した情報を提供できる。
【００１６】
本発明に係る情報検索装置は、情報提供ユーザと提供する情報を予測するので、どの情報提供ユーザがどのような情報を提供してくれるかについて情報を得ることができる。
【００１７】
本発明に係る情報検索装置は、検索された情報に基づき、提供ユーザデータベースに記憶された情報を抽出した元の情報である原文情報が記憶された原文データベースの対応する原文情報を取り出し、関連するとした根拠情報と共に検索要求ユーザへ提供するので、実際の原文情報と関連する根拠を得ることができ、検索結果を効率的に利用可能となる。
【００１８】
本発明に係る情報検索システムは、請求項１乃至６のいずれか１項に記載の情報検索装置を備えているので、情報を保持している可能性が高い情報提供ユーザを特定して情報提供を求めることができ、隠れた或いは将来的に発生する情報検索が可能となるなどの効果がある。
【発明を実施するための最良の形態】
【００１９】
＜実施例１＞
以下添付図面を参照して本発明の実施例に係る情報検索装置を用いて構成した情報検索システムの構成例が示されている。このシステムは、ネットワーク１０に、情報検索装置２０と、検索要求ユーザ（端末）１１と、情報提供ユーザ（端末）１２−１〜１２−ｎとが接続されている。情報検索装置２０は、コンピュータにより構成されるものであり、コンピュータ本体２１に提供ユーザデータベース２２である記憶装置が接続されている。
【００２０】
提供ユーザデータベース２２は、情報提供ユーザ１２−１〜１２−ｎが提供した情報の分野とタイトルを含む提供情報キーワードおよび情報提供ユーザに関する得意分野を含む個人情報を情報提供ユーザに対応させて記憶したものである。具体的には、例えば図２に示されるように、管理番号に、ユーザＩＤ（ユーザ名）と、キーワードと、キーワードに対応する情報が記憶されたアドレス（ＵＲＬなど）とが対応付けられ、情報提供ユーザの趣味・嗜好、情報提供分野、得意分野などの個人情報が記憶されている。なお、この図２においては、情報的提供ユーザが個人として示しているが、法人や団体などであっても良い。
【００２１】
コンピュータ本体２１には、作成手段２３、選択手段２４、処理手段２５、対価提示手段２６、対価要求手段２７が備えられている。作成手段２３は、検索要求ユーザ１１から検索対象情報を受け取り、この情報に関連するキーワードまたは得意分野を含む個人情報を作成するものである。この作成手段２３は、単語間の上位下位関係や同義語関係を示すシソーラスのデータベースなどを備えており、たとえば、キーワード「ルノワール」に対し、「絵画」や「美術」などのキーワードまたは得意分野を含む個人情報を作成可能である。
【００２２】
選択手段２４は、作成手段２３により作成された情報に基づき提供ユーザデータベース２２を検索して、対象とする情報提供ユーザを選択する。上記の例ではキーワード「ルノワール」に対し、作成手段２３により「絵画」や「美術」が個人情報とされるので、図２の例では、管理番号「１」の「川崎太郎」が選択される。
【００２３】
処理手段２５は、選択手段２４により選択された情報提供ユーザを検索要求ユーザ１１へ紹介する処理か、選択された情報提供ユーザ（川崎太郎のアドレス）へ情報提供を求める処理の少なくとも一方を行う。提供ユーザデータベース２２には、ユーザ名対応のアドレスが登録されているものとする。
【００２４】
対価提示手段２６は、例えば図３に示されるようなランキング情報のテーブルを備えている。区分の数字が高いほど対価が多くなっている。各区分に対応する項目が対応付けられており、予定や見通しに関する情報が対価が多く、一般的な内容は対価が少ない。各項目の欄には、項目名に関連するワードが含まれ、どのワードが「予定・見通し」に該当し、どのワードが「専門的内容」でどのワードが「一般的内容」であるかが対応付けられている。更に、「詳細分類と対価」の欄においては、詳細分類のワードと対価とが対応付けられている。例えば、イベントに係る予定の情報は先頭に示すように「ｗｗ円」であることを示している。対価提示手段２６は、検索要求ユーザ１１からの指示または提供情報の金額と情報内容とが対応付けられたランキング情報に応じて、情報提供ユーザ１２−１〜１２−ｎへ情報提供の対価を提示するものである。
【００２５】
対価要求手段２７は、情報提供ユーザ１２−１〜１２−ｎによる情報提供を監視し、情報提供がなされた場合に、検索要求ユーザ１１へ対価の支払いを求めるものである。例えば、情報提供の際に対価の支払いを求め、支払いが確認されてから情報検索装置２０に保持している情報提供ユーザ１２−１〜１２−ｎにより提供された情報を検索要求ユーザ１１へ供給するように構成しても良い。
【００２６】
以上の構成において、情報検索装置２０のコンピュータ本体２１が図４、図５に示されるフローチャートに対応するプログラムを実行することにより、図１の各種手段として機能するので、このフローチャートに基づき動作を説明する。コンピュータ本体２１は検索要求ユーザ１１から検索を求めるキーワードの到来を待っており（Ｓ１１）、到来すると、これを受け取り、与えられたキーワードで提供ユーザデータベース２２を検索して（Ｓ１２）、ヒットしたかを検出する（Ｓ１３）。
【００２７】
ステップＳ１３において、ヒットしたことが検出されると、ヒットした対象情報（キーワード）の検索アドレスを検索要求ユーザ１１へ返送する（Ｓ１４）。ステップＳ１３において、ヒットしなかったことが検出されると、情報源の検索を行うかを例えば「情報を持っていそうな情報源を探しますか」などのメッセージを送り、検索要求ユーザ１１の指示を仰ぎ（Ｓ１５）、結果を待つ（Ｓ１６）。検索しないとの応答があると、ステップＳ１１へ戻って処理を続ける。
【００２８】
ステップＳ１６において、ＹＥＳへ分岐すると、関連するキーワードまたは得意分野を含む個人情報を作成し（Ｓ１７）、作成した情報により提供ユーザデータベース２２を検索して（Ｓ１８）、ヒットしたかを検出する（Ｓ１９）。ステップＳ１９においてヒットしなかったことが検出されると、ヒットしなかったことを検索要求ユーザ１１へ報告する（Ｓ２０）。
【００２９】
ステップＳ１９においてヒットが確認されると、ヒットした情報提供ユーザを検索要求ユーザ１１へ紹介する処理か、ヒットした情報提供ユーザへ情報提供を求める処理の少なくとも一方を行う（Ｓ２１）。そして、このステップＳ２１に次いで、情報提供ユーザから回答があるかを検出して（Ｓ２２）、回答が当該情報検索装置２０に対してあれば検索要求ユーザ１１へ転送し、直接に検索要求ユーザ１１へ回答した場合も含めて提供ユーザデータベース２２の更新を行い（Ｓ２３）、ステップＳ１１へ戻って処理を続ける。
【００３０】
一方、ステップＳ１９において、ＹＥＳへ分岐すると図５に示すフローチャートに対応するプログラムが立ち上がり、キーワードを分析し図３の区分のいずれに属するかをワードの比較により検出する（Ｓ３１）。区分が検出されると、区分内のいずれの詳細分類と対応するかを検出し（Ｓ３２）、詳細分類が検出できると対応の対価を求めて該当の情報提供ユーザへ提示する（Ｓ３３）。
【００３１】
上記ステップＳ３３に続いて情報提供ユーザから回答（情報提供）がなされたかを検出し（Ｓ３４）、回答がなされた場合には、対価の支払を検索要求ユーザ１１に求めて処理終了となる。
【００３２】
＜実施例２＞
図６には、第２の実施例に係る情報検索装置２０Ａを用いて構成した情報検索システムが示されている。情報検索装置２０Ａは、提供ユーザデータベース２２以外に、原文データベース３１を備える。原文データベース３１には、提供ユーザデータベース２２に記憶された情報を抽出した元の情報である原文情報（提供された情報の全内容）が記憶されている。
【００３３】
また、コンピュータ本体２１Ａには、検索手段２８、予測手段２９Ａ、提供手段２９Ｂが備えられている。検索手段２８は、検索要求ユーザ１１から検索対象情報を受け取り、この情報に関連する情報を提供ユーザデータベース２２を検索して情報提供ユーザを含む情報として求める。
【００３４】
ここでは、提供ユーザデータベース２２の記憶内容が、図２に示したものばかりではなく、図７に示すように「タイトル」、「年月日」が含まれ履歴情報となっている。そして、例えば「ＸＸスーパ」などが何時どのような販売に関する情報を提供したかが示されている。係る提供ユーザデータベース２２に対し、検索手段２８は、受け取った検索対象情報に関連する情報を求める。ここでも、検索手段２８は、単語間の上位下位関係や同義語関係を示すシソーラスのデータベースなどを備えており、検索要求ユーザ１１から到来した、例えば「安値」というキーワードから「安売り」を求めて管理番号「１０１」のエントリを検索する。
【００３５】
予測手段２９Ａは、検索手段２８により検索された情報を履歴情報に基づき分析し、関連情報の出現予測を行う。前述の通り、「安値」というキーワードから「安売り」を求めて管理番号「１０１」のエントリが検索されたように、同じ「安値」というキーワードから複数の管理番号のエントリが検索される。例えば、図７に示した管理番号１０１、１０２、１０３のエントリが検索されたものとする。予測手段２９Ａは、例えば、上記の管理番号１０１、１０２、１０３のエントリについて、履歴情報である年月日を参照して、一番古い年月日に対応するエントリを求める。他の例としては、図７に示した以外に「ＸＸスーパ」、「マーケット」、「ｃｃ屋」に関するエントリがそれぞれ多数登録されているとして、これらのエントリ履歴から周期を検出して、次回のエントリが予測されるユーザを特定する。
【００３６】
上記のように予測手段２９Ａによる予測が行われ、提供手段２９Ｂは、予測手段２９Ａにより予測された結果を検索要求ユーザへ提供する。また、予測手段２９Ａは、「ＸＸスーパ」、「マーケット」、「ｃｃ屋」などを指す情報提供ユーザと共に、この情報提供ユーザが提供する情報を予測する。例えば、出現周期から「ＸＸスーパ」、「マーケット」、「ｃｃ屋」などが何（液晶テレビなど）を、或いは野菜、冷凍食品という情報分野やその他の提供ユーザデータベースに記憶された情報から提供される情報を予測する。提供手段２９Ｂは、第１の実施例と同様に、検索された情報提供ユーザを検索要求ユーザ１１へ紹介する処理か、選択された情報提供ユーザへ情報提供を求める処理の少なくとも一方を行うようにしても良い。
【００３７】
提供手段２９Ｂは、検索手段２８により検索された情報に基づき、原文データベース３１の対応する原文情報を取り出し、検索手段２８が関連するとした根拠情報と共に検索要求ユーザ１１へ提供する処理も行う。例えば、「テレビの安値」というキーワードから検索手段２８が図７の管理番号「１０１」のエントリなど関連するテレビの値段に関する情報提供ユーザのエントリを検索する。これに対し、提供手段２９Ｂは、検索された情報提供ユーザのエントリ対応の原文を原文データベースから取り出し、時系列に並べて、関連するとした根拠情報として、「テレビの安値（値段）の動向を示します」などの情報と共に、これら原文を検索要求ユーザ１１へ提供する。
【００３８】
以上の構成において、情報検索装置２０Ａのコンピュータ本体２１Ａが図８に示されるフローチャートに対応するプログラムを実行することにより、図６の各種手段として機能するので、このフローチャートに基づき動作を説明する。コンピュータ本体２１Ａは検索要求ユーザ１１から検索を求めるキーワードと検索種別情報の到来を受け付け（Ｓ４１）、検索種別が何であるかを検出する（Ｓ４２）。ここに検索種別は、検索キーワードと一致するもの検索する通常の検索、上記の予測手段２９Ａによる予測検索、上記原文データベース３１の原文と根拠情報を返送する編集検索が設けられているものとする。
【００３９】
ステップＳ４２における検出の結果、通常の検索が指示されている場合には、図４のフローチャートに示す処理へ進む（Ｓ４３）。ステップＳ４２における検出の結果、予測検索または編集検索が指示されている場合には、検索キーワードに関連する情報を提供ユーザデータベース２２の検索により検出して、情報提供ユーザを含む情報を検出する（Ｓ４３）。前述した例においては、例えば「安値」というキーワードから「安売り」を求めて管理番号「１０１」のエントリを検索して、情報提供ユーザとして「ＸＸスーパ」を得るなどの処理である。
【００４０】
上記ステップＳ４３の検索についてヒットしたかを検出し（Ｓ４５）、ヒットしない場合にはヒット無しの旨を検索要求ユーザ１１へ返送する（Ｓ４６）。ステップＳ４５において、ヒットした場合には検索種別が予測検索と編集検索とのいずれであるかを検出し（Ｓ４７）、予測検索である場合には、ステップＳ４４における検索により検出された情報と履歴情報とに基づき分析を行って、関連情報を出現させる情報提供ユーザを予測する（Ｓ４８）。このステップＳ４８における予測の結果は、検索要求ユーザ１１へ返送する（Ｓ４９）。
【００４１】
一方、ステップＳ４７において、編集検索が指示されていることを検出すると、ステップＳ４４における検索により検出された情報（ユーザ）に対応して原文データベース３１の対応する原文情報を取り出し（Ｓ５１）、関連箇所をハイライト表示すると共に検索手段２８が関連するとした根拠情報と共に検索要求ユーザ１１へ提供する（Ｓ５２）。これにより、検索要求ユーザ１１においては、ハイライト表示された実際の原文情報と関連する根拠を得ることができ、これらの検索結果が同関連するかを把握でき、検索結果を効率的に利用可能である。
【図面の簡単な説明】
【００４２】
【図１】本発明の第１の実施例に係る情報検索装置を用いた情報検索システムの構成図。
【図２】本発明の実施例に係る情報検索装置に用いられる提供ユーザデータベースに記憶された情報の一部を示す図。
【図３】本発明の実施例に係る情報検索装置に用いられる対価算出のためのランキング情報のテーブルを示す図。
【図４】本発明の第１の実施例に係る情報検索装置の動作を説明するためのフローチャート。
【図５】本発明の第１の実施例に係る情報検索装置の動作を説明するためのフローチャート。
【図６】本発明の第２の実施例に係る情報検索装置を用いた情報検索システムの構成図。
【図７】本発明の実施例に係る情報検索装置に用いられる提供ユーザデータベースに記憶された情報の一部を示す図。
【図８】本発明の第２の実施例に係る情報検索装置の動作を説明するためのフローチャート。
【符号の説明】
【００４３】
１０  ネットワーク
１１  検索要求ユーザ
１２−１〜１２−ｎ  情報提供ユーザ
２０  情報検索装置
２０Ａ  情報検索装置
２１  コンピュータ本体
２１Ａ  コンピュータ本体
２２  提供ユーザデータベース
２３  作成手段
２４  選択手段
２５  処理手段
２６  対価提示手段
２７  対価要求手段
２８  検索手段
２９Ａ  予測手段
２９Ｂ  提供手段
３１  原文データベース
【図１】
2008234062.tif 000003
【図２】
2008234062.tif 000004
【図３】
2008234062.tif 000005
【図４】
2008234062.tif 000006
【図５】
2008234062.tif 000007
【図６】
2008234062.tif 000008
【図７】
2008234062.tif 000009
【図８】
2008234062.tif 000010